(57)【要約】【課題】  フロントバルクヘッドの寸法精度が低い場合であっても、特別のブラケットを必要とせずにフロントサイドフレームに対する精度の良い接合を可能にする。【解決手段】  一定断面のパイプ材をＵ字状に曲げ加工して横メンバ１３ａ、左右一対の上下湾曲部１３ｂおよび左右一対の縦メンバ１３ｃを一体に有するフロントバルクヘッド本体部１３を成形し、縦メンバ１３ｃの車幅方向外側面を切除して接合凹部１３ｅを形成し、接合凹部１３ｅにフロントサイドフレーム１１の車幅方向内側部分を嵌合して接合する。フロントバルクヘッド本体部１３の曲げ加工の角度のばらつきで左右一対の縦メンバの１３ｃ車幅方向間隔に誤差が存在しても、縦メンバ１３ｃの接合凹部１３ｅを所定の車幅方向間隔で切除することで、フロントバルクヘッド本体部１３の曲げ加工の角度のばらつきを矯正せずとも、接合凹部１３ｅにフロントサイドフレーム１１の車幅方向内側部分を支障なく嵌合することが可能となって接合強度および生産性が向上する。【選択図】        図１
2015136965.tif 000002
【特許請求の範囲】
【請求項１】
一定断面のパイプ材をＵ字状に曲げ加工して横メンバ（１３ａ）、左右一対の上下湾曲部（１３ｂ）および左右一対の縦メンバ（１３ｃ）を一体に有するフロントバルクヘッド本体部（１３）を成形する第１工程と、
前記左右一対の縦メンバ（１３ｃ）の車幅方向外側面を切除して接合凹部（１３ｅ）を形成する第２工程と、
前記接合凹部（１３ｅ）に左右一対のフロントサイドフレーム（１１）の車幅方向内側部分を嵌合して接合する第３工程とを含むことを特徴とする自動車の車体製造方法。
【請求項２】
前記横メンバ（１３ａ）は車幅方向外側が後方に湾曲する左右一対の前後湾曲部（１３ｄ）を備え、前記第１工程において、円形断面の前記パイプ材を前記左右一対の上下湾曲部（１３ｂ）および前記左右一対の前後湾曲部（１３ｄ）において二次元曲げ加工することを特徴とする、請求項１に記載の自動車の車体製造方法。
【請求項３】
前記横メンバ（１３ａ）は車幅方向外側が後方に湾曲する左右一対の前後湾曲部（１３ｄ）を備え、前記第１工程において、四角形断面の前記パイプ材を前記左右一対の前後湾曲部（１３ｄ）において二次元曲げ加工するとともに前記左右一対の上下湾曲部（１３ｂ）において捩じりながら三次元曲げ加工し、前記左右一対の縦メンバ（１３ｃ）の車幅方向外側面を前後方向に沿わせることを特徴とする、請求項１に記載の自動車の車体製造方法。
【請求項４】
円形断面のパイプ材を複数回二次元曲げ加工したＵ字状のフロントバルクヘッド本体部（１３）は横メンバ（１３ａ）、左右一対の上下湾曲部（１３ｂ）および左右一対の縦メンバ（１３ｃ）を一体に備え、前記左右一対の縦メンバ（１３ｃ）の車幅方向外側面に左右一対のフロントサイドフレーム（１１）の車幅方向内側部分が嵌合する接合凹部（１３ｅ）をレーザーカットにより形成したことを特徴とする自動車の車体構造。
【請求項５】
四角形断面のパイプ材を複数回三次元曲げ加工したＵ字状のフロントバルクヘッド本体部（１３）は横メンバ、左右一対の上下湾曲部（１３ｂ）および左右一対の縦メンバ（１３ｃ）を一体に備え、前記左右一対の縦メンバ（１３ｃ）の前後方向に沿う車幅方向外側面に左右一対のフロントサイドフレーム（１１）の車幅方向内側部分が嵌合する接合凹部（１３ｅ）をレーザーカットにより形成したことを特徴とする自動車の車体構造。
【発明の詳細な説明】
【技術分野】
【０００１】
本発明は、一定断面のパイプ材をＵ字状に曲げ加工したフロントバルクヘッド本体部の左右一対の縦メンバを左右一対のフロントサイドフレームに接合する自動車の車体製造方法および自動車の車体構造に関する。
【背景技術】
【０００２】
エンジンのラジエータや空調装置のコンデンサを支持する枠状のフロントバルクヘッドをハイドロフォーム成形し、そのフロントバルクヘッドを車幅方向両側に延長した延長部にヘッドランプを支持可能にしたものが、下記特許文献１により公知である。
【先行技術文献】
【特許文献】
【０００３】
【特許文献１】特開２０００−２１９１５７号公報
【発明の概要】
【発明が解決しようとする課題】
【０００４】
ところで、フロントバルクヘッドは左右一対のフロントサイドフレームの前端に支持されるが、フロントバルクヘッドおよびフロントサイドフレームの接合部を面接触させて接合しようとしても、フロントバルクヘッドの寸法精度を確保することが難しいため、接合部に隙間が発生したり接合部が干渉したりして精度の高い接合が阻害される問題があった。この問題を解決するには、フロントバルクヘッドおよびフロントサイドフレームを、寸法誤差を吸収可能なブラケットを介して接合すれば良いが、このようにするとブラケットを設けた分だけ部品点数や組み付け工数が増加する問題がある。
【０００５】
本発明は前述の事情に鑑みてなされたもので、フロントバルクヘッドの寸法精度が低い場合であっても、特別のブラケットを必要とせずにフロントサイドフレームに対する精度の良い接合を可能にすることを目的とする。
【課題を解決するための手段】
【０００６】
上記目的を達成するために、請求項１に記載された発明によれば、一定断面のパイプ材をＵ字状に曲げ加工して横メンバ、左右一対の上下湾曲部および左右一対の縦メンバを一体に有するフロントバルクヘッド本体部を成形する第１工程と、前記左右一対の縦メンバの車幅方向外側面を切除して接合凹部を形成する第２工程と、前記接合凹部に左右一対のフロントサイドフレームの車幅方向内側部分を嵌合して接合する第３工程とを含むことを特徴とする自動車の車体製造方法が提案される。
【０００７】
また請求項２に記載された発明によれば、請求項１の構成に加えて、前記横メンバは車幅方向外側が後方に湾曲する左右一対の前後湾曲部を備え、前記第１工程において、円形断面の前記パイプ材を前記左右一対の上下湾曲部および前記左右一対の前後湾曲部において二次元曲げ加工することを特徴とする自動車の車体製造方法が提案される。
【０００８】
また請求項３に記載された発明によれば、請求項１の構成に加えて、前記横メンバは車幅方向外側が後方に湾曲する左右一対の前後湾曲部を備え、前記第１工程において、四角形断面の前記パイプ材を前記左右一対の前後湾曲部において二次元曲げ加工するとともに前記左右一対の上下湾曲部において捩じりながら三次元曲げ加工し、前記左右一対の縦メンバの車幅方向外側面を前後方向に沿わせることを特徴とする自動車の車体製造方法が提案される。
【０００９】
また請求項４に記載された発明によれば、円形断面のパイプ材を複数回二次元曲げ加工したＵ字状のフロントバルクヘッド本体部は横メンバ、左右一対の上下湾曲部および左右一対の縦メンバを一体に備え、前記左右一対の縦メンバの車幅方向外側面に左右一対のフロントサイドフレームの車幅方向内側部分が嵌合する接合凹部をレーザーカットにより形成したことを特徴とする自動車の車体構造が提案される。
【００１０】
また請求項５に記載された発明によれば、四角形断面のパイプ材を複数回三次元曲げ加工したＵ字状のフロントバルクヘッド本体部は横メンバ、左右一対の上下湾曲部および左右一対の縦メンバを一体に備え、前記左右一対の縦メンバの前後方向に沿う車幅方向外側面に左右一対のフロントサイドフレームの車幅方向内側部分が嵌合する接合凹部をレーザーカットにより形成したことを特徴とする自動車の車体構造が提案される。
【発明の効果】
【００１１】
請求項１の構成によれば、第１工程において、一定断面のパイプ材をＵ字状に曲げ加工して横メンバ、左右一対の上下湾曲部および左右一対の縦メンバを一体に有するフロントバルクヘッド本体部を成形し、第２工程において、左右一対の縦メンバの車幅方向外側面を切除して接合凹部を形成し、第３工程において、接合凹部に左右一対のフロントサイドフレームの車幅方向内側部分を嵌合して接合するので、フロントバルクヘッド本体部の曲げ加工の角度のばらつきで左右一対の縦メンバの車幅方向間隔に誤差が存在しても、左右一対の縦メンバの接合凹部を所定の車幅方向間隔で切除することで、フロントバルクヘッド本体部の曲げ加工の角度のばらつきを矯正せずとも、接合凹部に左右一対のフロントサイドフレームの車幅方向内側部分を支障なく嵌合することが可能となって接合強度および生産性が向上する。
【００１２】
またフロントバルクヘッド本体部は一定断面のパイプ材をＵ字状に曲げ加工して構成されるので、横メンバから縦メンバへの荷重伝達がスムーズになって強度が向上し、しかも縦メンバの車幅方向外側面を切除した接合凹部にフロントサイドフレームの車幅方向内側部分を嵌合して接合するので、ブラケット等の特別の接合部材が不要になって部品点数や組み付け工数が削減されるだけでなく、縦メンバの軸線およびフロントサイドフレームの軸線を接近させ、縦メンバからフロントサイドフレームへの確実な荷重伝達を可能にして剛性を更に高めることができる。
【００１３】
また請求項２の構成によれば、パイプ材が円形断面であるため、横メンバが車幅方向外側が後方に湾曲する左右一対の前後湾曲部を備えていても、コストの低い二次元曲げ加工を行うだけで、円形断面の左右一対の縦メンバの断面の向きの影響をなくし、荷重の入力方向に対する方向性を排除してフロントバルクヘッド本体部の強度を高めることができるだけでなく、縦メンバにフロントサイドフレームや他の部品を取り付ける際に、角度調整用のブラケットが不要になって部品点数や組み付け工数を削減することができる。
【００１４】
また請求項３の構成によれば、パイプ材が四角形断面であるため、横メンバが車幅方向外側が後方に湾曲する左右一対の前後湾曲部を備えていると、四角形断面の左右一対の縦メンバの車幅方向外側面の向きが前後方向からずれてしまうが、左右一対の上下湾曲部を捩じりながら三次元曲げ加工して左右一対の縦メンバの車幅方向外側面を前後方向に沿わせることにより、縦メンバにフロントサイドフレームや他の部品を取り付ける際に、角度調整用のブラケットが不要になって部品点数や組み付け工数を削減することができる。
【００１５】
また請求項４の構成によれば、円形断面のパイプ材を複数回二次元曲げ加工したＵ字状のフロントバルクヘッド本体部は横メンバ、左右一対の上下湾曲部および左右一対の縦メンバを一体に備え、左右一対の縦メンバの車幅方向外側面に左右一対のフロントサイドフレームの車幅方向内側部分が嵌合する接合凹部をレーザーカットにより形成したので、フロントバルクヘッド本体部の上下湾曲部の曲げ加工の角度のばらつきで左右一対の縦メンバの車幅方向間隔に誤差が存在しても、左右一対の縦メンバの接合凹部を所定の車幅方向間隔でレーザーカットすることで、前記曲げ加工の角度のばらつきを矯正せずとも、接合凹部に左右一対のフロントサイドフレームの車幅方向内側部分を支障なく嵌合することが可能となって接合強度および生産性が向上する。
【００１６】
またパイプ材が円形断面であるため、円形断面の左右一対の縦メンバの断面の向きに影響がなくなり、縦メンバにフロントサイドフレームや他の部品を取り付ける際に、角度調整用のブラケット等が不要になって部品点数や組み付け工数を削減することができる。しかも縦メンバの車幅方向外側面を切除した接合凹部にフロントサイドフレームの車幅方向内側部分を嵌合して接合するので、ブラケット等の特別の接合部材が不要になって部品点数や組み付け工数が削減されるだけでなく、縦メンバの軸線およびフロントサイドフレームの軸線を接近させ、縦メンバからフロントサイドフレームへの確実な荷重伝達を可能にして剛性を更に高めることができる。
【００１７】
また請求項５の構成によれば、四角形断面のパイプ材を複数回三次元曲げ加工したＵ字状のフロントバルクヘッド本体部は横メンバ、左右一対の上下湾曲部および左右一対の縦メンバを一体に備え、左右一対の縦メンバの前後方向に沿う車幅方向外側面に左右一対のフロントサイドフレームの車幅方向内側部分が嵌合する接合凹部をレーザーカットにより形成したので、フロントバルクヘッド本体部の上下湾曲部の曲げ加工の角度のばらつきで左右一対の縦メンバの車幅方向間隔に誤差が存在しても、左右一対の縦メンバの接合凹部を所定の車幅方向間隔でレーザーカットすることで、前記曲げ加工の角度のばらつきを矯正せずとも、接合凹部に左右一対のフロントサイドフレームの車幅方向内側部分を支障なく嵌合することが可能となって接合強度および生産性が向上する。
【００１８】
またパイプ材が四角形断面であるため、曲げ加工により四角形断面の左右一対の縦メンバの車幅方向外側面の向きが前後方向からずれてしまうが、左右一対の上下湾曲部を捩じりながら三次元曲げ加工して左右一対の縦メンバの車幅方向外側面を前後方向に沿わせることにより、角度調整用のブラケット等が不要になって部品点数や組み付け工数を削減することができる。しかも縦メンバの車幅方向外側面を切除した接合凹部にフロントサイドフレームの車幅方向内側部分を嵌合して接合するので、ブラケット等の特別の接合部材が不要になって部品点数や組み付け工数が削減されるだけでなく、縦メンバの軸線およびフロントサイドフレームの軸線を接近させ、縦メンバからフロントサイドフレームへの確実な荷重伝達を可能にして剛性を更に高めることができる。
【図面の簡単な説明】
【００１９】
【図１】フロントサイドフレームおよびフロントバルクヘッドの斜視図。（第１の実施の形態）
【図２】図１の２−２線断面図。（第１の実施の形態）
【図３】図２の３方向矢視図。（第１の実施の形態）
【図４】フロントサイドフレームおよびフロントバルクヘッドの斜視図。（第２の実施の形態）
【図５】図４の５−５線断面図。（第２の実施の形態）
【図６】フロントサイドフレームおよびフロントバルクヘッドの斜視図。（第３の実施の形態）
【図７】フロントサイドフレームおよびフロントバルクヘッドの斜視図。（第４の実施の形態）
【発明を実施するための形態】
【第１の実施の形態】
【００２０】
以下、図１〜図３に基づいて本発明の第１の実施の形態を説明する。尚、本明細書において前後方向、左右方向（車幅方向）および上下方向とは、運転席に着座した乗員を基準として定義される。
【００２１】
図１に示すように、自動車の車体前部にエンジン、トランスミッション、フロントサスペンション等を支持すべく前後方向に配置された左右一対のフロントサイドフレーム１１，１１の前端間に、エンジンのラジエータや空調装置のコンデンサ等を支持すべく四角枠状に形成されたフロントバルクヘッド１２の車幅方向両端部が固定される。
【００２２】
フロントバルクヘッド１２は、円形断面の金属パイプ材をＵ字状に曲げ加工したフロントバルクヘッド本体部１３と、フロントバルクヘッド本体部１３の左右の下端間を接続する直線状の金属板よりなるロアフレーム１４とを、左右一対のブラケット１５，１５を介して溶接して構成される。
【００２３】
フロントバルクヘッド本体部１３は、車幅方向に延びる横メンバ１３ａと、横メンバ１３ａの車幅方向外端から下向きに９０°湾曲する左右一対の上下湾曲部１３ｂ，１３ｂと、上下湾曲部１３ｂ，１３ｂの下端からロアフレーム１４に向かって下向きに延びる左右一対の縦メンバ１３ｃ，１３ｃとを備える。更に横メンバ１３ａは、上下湾曲部１３ｂ，１３ｂよりも僅かに車幅方向内側位置に左右一対の前後湾曲部１３ｄ，１３ｄを備えており、これらの前後湾曲部１３ｄ，１３ｄにより、横メンバ１３ａの車幅方向外端部は車幅方向中間部に対して僅かに後方に偏倚する。
【００２４】
かかる形状のフロントバルクヘッド本体部１３は、第１工程において、直線状のパイプ材を上下湾曲部１３ｂ，１３ｂにおいて二次元曲げ加工するとともに、前後湾曲部１３ｄ，１３ｄにおいて二次元曲げ加工することで製造される。二次元曲げ加工とは、フロントバルクヘッド本体部１３のパイプ材を一平面内で曲げ加工すること指す。
【００２５】
第１工程に続く第２工程において、フロントバルクヘッド本体部１３の左右一対の縦メンバ１３ｃ，１３ｃの車幅方向外側面に、フロントサイドフレーム１１，１１が嵌合して溶接される接合凹部１３ｅ，１３ｅを、レーザーカットにより切除する。
【００２６】
ところで、フロントバルクヘッド本体部１３は、特に上下湾曲部１３ｂ，１３ｂの曲げ角度のばらつきにより、横メンバ１３ａに対する縦メンバ１３ｃ，１３ｃの角度が、図３に実線で示す本来の角度から鎖線で示すようにずれてしまう場合がある。本実施の形態では、上下湾曲部１３ｂ，１３ｂの曲げ角度にばらつきが存在しても、曲げ角度を特に矯正することなく、フロントバルクヘッド本体部１３を治具に固定し、治具に対してレ−ザーカッターを予め定めた一定の経路に沿って移動させることで接合凹部１３ｅ，１３ｅを切除する。従って、例えば図３に鎖線で示す縦メンバ１３ｃ，１３ｃが車幅方向内側に位置ずれしている場合の接合凹部１３ｅ，１３ｅの深さは、実線で示す縦メンバ１３ｃ，１３ｃが位置ずれしていない場合の接合凹部１３ｅ，１３ｅの深さよりも浅くなる。
【００２７】
第２工程に続く第３工程において、左右一対のフロントサイドフレーム１１，１１の車幅方向内側部分にフロントバルクヘッド本体部１３の左右一対の接合凹部１３ｅ，１３ｅを嵌合して溶接により接合する。このとき、仮に接合凹部１３ｅをフロントバルクヘッド本体部１３の各々の縦メンバ１３ｃに対して一定の深さで形成したとすると、上下湾曲部１３ｂ，１３ｂの曲げ角度にばらつきによりフロントサイドフレーム１１，１１が接合凹部１３ｅ，１３ｅに正しく嵌合せず、嵌合不能になったり隙間が発生したりするが、本実施の形態によれば、上下湾曲部１３ｂ，１３ｂの曲げ角度にばらつきが存在してもフロントサイドフレーム１１，１１を接合凹部１３ｅ，１３ｅに正しく嵌合することが可能になり、作業性の向上および溶接強度の向上が可能になる。
【００２８】
尚、上下湾曲部１３ｂ，１３ｂの曲げ角度にばらつきが存在する状態でフロントサイドフレーム１１，１１に対する溶接を行うと、左右一対の縦メンバ１３ｃ，１３ｃの下端間の車幅方向間隔にばらつきが生じるが、左右一対の縦メンバ１３ｃ，１３ｃの下端をブラケット１５，１５を介してロアフレーム１４に溶接する際に、その溶接位置を車幅方向に調節することで前記ばらつきを吸収することができる。このようにして完成したフロントバルクヘッド１２の左右一対の縦メンバ１３ｃ，１３ｃの角度に多少のばらつきが存在しても、そこにラジエータやコンデンサを支持する機能に特に影響はない。
【００２９】
また縦メンバ１３ｃ，１３ｃに接合凹部１３ｅ，１３ｅを形成し、そこにフロントサイドフレーム１１，１１を直接溶接するので、ブラケット等の特別の接合部材が不要になって部品点数や組み付け工数が削減されるだけでなく、縦メンバ１３ｃ，１３ｃの軸線およびフロントサイドフレーム１１，１１の軸線間の距離Ｄ（図３参照）を小さくし、縦メンバ１３ｃ，１３ｃからフロントサイドフレーム１１，１１への確実な荷重伝達を可能にして剛性を更に高めることができる。
【００３０】
またパイプ材が円形断面であるため、横メンバ１３ａが車幅方向外側が後方に湾曲する左右一対の前後湾曲部１３ｄ，１３ｄを備えていても、コストの低い二次元曲げ加工を行うだけで、円形断面の左右一対の縦メンバ１３ｃ，１３ｃの断面の向きの影響をなくし、荷重の入力方向に対する方向性を排除してフロントバルクヘッド本体部１３の強度を高めることができるだけでなく、縦メンバ１３ｃ，１３ｃにフロントサイドフレーム１１，１１や他の部品を取り付ける際に、角度調整用のブラケット等が不要になって部品点数や組み付け工数を削減することができる。しかもフロントバルクヘッド本体部１３はパイプ材をＵ字状に曲げ加工して構成されるので、横メンバ１３ａから縦メンバ１３ｃ，１３ｃへの荷重伝達がスムーズになって強度が更に向上する。
【第２の実施の形態】
【００３１】
次に、図４および図５に基づいて本発明の第２の実施の形態を説明する。
【００３２】
第１の実施の形態は、フロントバルクヘッド本体部１３を構成するパイプ材が円形断面であるが、第２の実施の形態は、フロントバルクヘッド本体部１３を構成するパイプ材が矩形断面である点で相違しており、その他の構造は第１の実施の形態と同じである。
【００３３】
第２の実施の形態のフロントバルクヘッド本体部１３のパイプ材は矩形断面であるため、その横メンバ１３ａの平坦な上面を利用してボンネットフードのフードロック等の取り付けが容易になるという利点がある。
【００３４】
しかしながら、仮にフロントバルクヘッド本体部１３の左右一対の縦メンバ１３ｃ，１３ｃの矩形断面の各面が前後方向および車幅方向に沿うように整列していないと、縦メンバ１３ｃ，１３ｃに補機等を固定する場合に、その取付角度が変化したりして不便である。フロントバルクヘッド本体部１３の車幅方向に延びる横メンバ１３ａの両端を上下湾曲部１３ｂ，１３ｂにおいて上下方向に二次元曲げ加工するだけであれば、縦メンバ１３ｃ，１３ｃの各面は自動的に前後方向および車幅方向に沿うように整列するが、横メンバ１３ａは更に前後湾曲部１３ｄ，１３ｄにおいて前後方向に曲げ加工されるため、その曲げ角度だけ縦メンバ１３ｃ，１３ｃの各面が前後方向および車幅方向に対して角度θだけずれてしまうことになる。
【００３５】
この問題を解決するために、本実施の形態では、上下湾曲部１３ｂ，１３ｂを曲げ加工するときに、パイプ材に前記角度θを相殺する捩じりを加えるように三次元曲げ加工することで、縦メンバ１３ｃ，１３ｃの各面が前後方向および車幅方向に沿うように整列させる。これにより、前後湾曲部１３ｄ，１３ｄを有するフロントバルクヘッド本体部１３の縦メンバ１３ｃ，１３ｃの捩じれを防止し、縦メンバ１３ｃ，１３ｃに対するフロントサイドフレーム１１，１１や補機等の取り付けを容易に行うことができる。上下湾曲部１３ｂ，１３ｂの曲げ角度のばらつきの影響を除去する作用効果は、上述した第１の実施の形態と同じである。
【００３６】
尚、第１の実施の形態のフロントバルクヘッド本体部１３はパイプ材が円形断面であるため、前後湾曲部１３ｄ，１３ｄを曲げ加工する際にパイプ材が軸線まわりに回転しても、断面の向きが角度θだけ変化してしまう問題は発生しない。よって、第１の実施の形態によれば、上下湾曲部１３ｂ，１３ｂを曲げ加工するときに、パイプ材に前記角度θを相殺する捩じりを加えるように三次元曲げ加工する必要がなくなり、加工コストの削減が可能になる。
【第３の実施の形態】
【００３７】
次に、図６に基づいて本発明の第３の実施の形態を説明する。
【００３８】
第１の実施の形態では、Ｕ字状のフロントバルクヘッド本体部１３の下端にロアフレーム１４を接続して枠状のフロントバルクヘッド１２を構成しているが、第３の実施の形態では、Ｕ字状のフロントバルクヘッド本体部１３の上端にアッパーフレーム１６を接続して枠状のフロントバルクヘッド１２を構成している。フロントバルクヘッド本体部１３は、横メンバ１３ａおよび縦メンバ１３ｃ，１３ｃの境界の上下湾曲部１３ｂ，１３ｂに加えて、縦メンバ１３ｃ，１３ｃの上部を車幅方向外側に湾曲させる第１車幅方向湾曲部１３ｆ，１３ｆと、第１車幅方向湾曲部１３ｆ，１３ｆの上部を車幅方向内側に湾曲させる第２車幅方向湾曲部１３ｇ，１３ｇとを備える。上下湾曲部１３ｂ，１３ｂ、第１車幅方向湾曲部１３ｆ，１３ｆおよび第２車幅方向湾曲部１３ｇ，１３ｇは、二次元曲げ加工される。
【００３９】
アッパーフレーム１６は非円形断面のパイプ材をハイドロフォーム成形により後方に向けて開放するＵ字状に曲げ加工したものであり、車幅方向に延びる中央部１６ａと、中央部１６ａの車幅方向外端から後方に湾曲する左右一対の前後湾曲部１６ｂ，１６ｂと、前後湾曲部１６ｂ，１６ｂの車幅方向外端から斜め後方に延びる左右一対の傾斜部１６ｃ，１６ｃとを備え、傾斜部１６ｃ，１６ｃの下面に左右一対の縦メンバ１３ｃ，１３ｃの上端が溶接される。
【００４０】
フロントバルクヘッド本体部１３の縦メンバ１３ｃ，１３ｃに接合凹部１３ｅ，１３ｅを形成する方法と、その接合凹部１３ｅ，１３ｅの作用効果はとは、前述した第１の実施の形態と同じである。
【第４の実施の形態】
【００４１】
次に、図７に基づいて本発明の第４の実施の形態を説明する。
【００４２】
第４の実施の形態は、第３の実施の形態の円形断面のパイプ材を、矩形断面のパイプ材で置き換えたものである。縦メンバ１３ｃ，１３ｃの上端の各面をアッパーフレーム１６の傾斜部１６ｃ，１６ｃに沿うように接続するために、第１車幅方向湾曲部１３ｆ，１３ｆおよび第２車幅方向湾曲部１３ｇ，１３ｇを三次元曲げ加工することで角度θの捩じりが加えられる。ただし、縦メンバ１３ｃ，１３ｃの接合凹部１３ｅ，１３ｅが形成される部分には捩じりが加えられず、矩形断面の各面は前後方向および車幅方向に整列している。
【００４３】
この第４の実施の形態によっても、前述した第３の実施の形態と同様の作用効果を達成することができる。
【００４４】
以上、本発明の実施の形態を説明したが、本発明はその要旨を逸脱しない範囲で種々の設計変更を行うことが可能である。
【００４５】
例えば、実施の形態ではフロントバルクヘッド本体部１３の接合凹部１３ｅをレーザーカットにより切除しているが、他の任意の手段で切除することができる。
【００４６】
また実施の形態ではフロントバルクヘッド本体部１３およびフロントサイドフレーム１１を溶接により接合しているが、他の任意の手段で接合することができる。
【符号の説明】
【００４７】
１１        フロントサイドフレーム
１３        フロントバルクヘッド本体部
１３ａ      横メンバ
１３ｂ      上下湾曲部
１３ｃ      縦メンバ
１３ｄ      前後湾曲部
１３ｅ      接合凹部
【図１】
2015136965.tif 000003
【図２】
2015136965.tif 000004
【図３】
2015136965.tif 000005
【図４】
2015136965.tif 000006
【図５】
2015136965.tif 000007
【図６】
2015136965.tif 000008
【図７】
2015136965.tif 000009